(57)【要約】【課題】平面部が鉛直方向に設置された状態で、平面部の中心を受熱部、平面部の周縁を放熱部としても、平面部の周縁で気相から液相へ相変化した作動流体が、円滑に、平面部の周縁から中心方向へ還流できる平面型ヒートパイプを提供する。【解決手段】積層された板状部材により空洞部が形成されたコンテナと、前記空洞部に封入された作動流体と、前記空洞部に収容され、該空洞部に沿って延在したウィック構造体と、を有する平面型ヒートパイプであって、前記ウィック構造体が、該ウィック構造体の厚さ方向に貫通した孔部である蒸気流路を複数備え、複数の前記蒸気流路が、前記ウィック構造体の平面視中央部から平面視縁部の方向へ伸延し、前記ウィック構造体の平面視中央部にて前記ウィック構造体を横断する仮想線を介して対向して配置されている平面型ヒートパイプ。【選択図】図１
2019120416.tif 000002
【特許請求の範囲】
【請求項１】
積層された板状部材により空洞部が形成されたコンテナと、前記空洞部に封入された作動流体と、前記空洞部に収容され、該空洞部に沿って延在したウィック構造体と、を有する平面型ヒートパイプであって、
前記ウィック構造体が、該ウィック構造体の厚さ方向に貫通した孔部である蒸気流路を複数備え、
複数の前記蒸気流路が、前記ウィック構造体の平面視中央部から平面視縁部の方向へ伸延し、前記ウィック構造体の平面視中央部にて前記ウィック構造体を横断する仮想線を介して対向して配置されている平面型ヒートパイプ。
【請求項２】
前記蒸気流路が、直線状の前記仮想線に沿って、並列配置されている請求項１に記載の平面型ヒートパイプ。
【請求項３】
前記仮想線を介して対向している前記蒸気流路の、前記仮想線側の端部間の距離が、前記蒸気流路の伸延方向における前記ウィック構造体の寸法の５％以上１５％以下である請求項１または２に記載の平面型ヒートパイプ。
【請求項４】
前記仮想線を介して対向している前記蒸気流路の、前記仮想線側の端部間の距離が、５ｍｍ以上１５ｍｍ以下である請求項１または２に記載の平面型ヒートパイプ。
【請求項５】
前記蒸気流路の短手方向の幅に対する前記蒸気流路から該蒸気流路の短手方向にて隣接する他の前記蒸気流路までの距離の比率が、０．７０以上２．０以下である部位を有する請求項１乃至４のいずれか１項に記載の平面型ヒートパイプ。
【発明の詳細な説明】
【技術分野】
【０００１】
本発明は、鉛直方向に設置されても、優れた伝熱性能を発揮できる平面型ヒートパイプに関するものである。
【背景技術】
【０００２】
電気・電子機器に搭載されている半導体素子等の電子部品は、高機能化に伴う高密度搭載等により、発熱量が増大し、近年、その冷却がより重要となっている。電子部品の冷却方法として、平面型ヒートパイプが使用されることがある。
【０００３】
また、電気自動車等に搭載されるバッテリーには、バッテリーの安定的動作のために温度管理システムが利用されている。また、バッテリーの出力増大に伴う発熱量の増大に対応し、バッテリーの出力向上や寿命改善のために、近年、温度管理システムにおいて、均熱、冷却性能のさらなる向上が要求されている。
【０００４】
冷却性能の向上を目的とした平面型ヒートパイプとして、例えば、入熱部側に実効毛細管半径の小さいウィックが配置され、かつ放熱部側に前記作動流体の流通する流路の断面積が大きく実効毛細管半径の大きいウィックが配置され、さらにこれら各ウィックの流路が互いに連通されている平面型ヒートパイプが提案されている（特許文献１）。特許文献１では、入熱部側のウィックの実効毛細管半径が相対的に小さく、放熱部側のウィックにおける実効毛細管半径が相対的に大きいので、入熱部で発生する毛細管圧力が、放熱部で生じる毛細管圧力に対して高くなる。従って、放熱部で凝縮した液相の作動流体を還流させる作用が強くなりことから、冷却性能が向上するというものである。
【０００５】
しかし、特許文献１では、例えば、平面型ヒートパイプの平面部が鉛直方向に設置された状態で、平面部の中心を入熱部、平面部の周縁を放熱部とすると、平面部の周縁で気相から液相へ相変化した作動流体は、重力作用により平面型ヒートパイプの下端部で滞留しやすくなり、円滑に入熱部へ還流することができない。
【先行技術文献】
【特許文献】
【０００６】
【特許文献１】特開２００３−２１４７７９号公報
【発明の概要】
【発明が解決しようとする課題】
【０００７】
上記事情に鑑み、本発明は、平面部が鉛直方向に設置された状態で、平面部の中心を受熱部、平面部の周縁を放熱部としても、平面部の周縁で気相から液相へ相変化した作動流体が、円滑に、平面部の周縁から中心方向へ還流できる平面型ヒートパイプを提供することを目的とする。
【０００８】
本発明の態様は、積層された板状部材により空洞部が形成されたコンテナと、前記空洞部に封入された作動流体と、前記空洞部に収容され、該空洞部に沿って延在したウィック構造体と、を有する平面型ヒートパイプであって、前記ウィック構造体が、該ウィック構造体の厚さ方向に貫通した孔部である蒸気流路を複数備え、複数の前記蒸気流路が、前記ウィック構造体の平面視中央部から平面視縁部の方向へ伸延し、前記ウィック構造体の平面視中央部にて前記ウィック構造体を横断する仮想線を介して対向して配置されている平面型ヒートパイプである。
【０００９】
本明細書において、「平面視」とは、平面型ヒートパイプの平面部に対して鉛直方向から視認した態様を意味する。
【００１０】
本発明の態様は、前記蒸気流路が、直線状の前記仮想線に沿って、並列配置されている平面型ヒートパイプである。
【００１１】
本発明の態様は、前記仮想線を介して対向している前記蒸気流路の、前記仮想線側の端部間の距離が、前記蒸気流路の伸延方向における前記ウィック構造体の寸法の５％以上１５％以下である平面型ヒートパイプである。
【００１２】
本発明の態様は、前記仮想線を介して対向している前記蒸気流路の、前記仮想線側の端部間の距離が、５ｍｍ以上１５ｍｍ以下である平面型ヒートパイプである。
【００１３】
本発明の態様は、前記蒸気流路の短手方向の幅に対する前記蒸気流路から該蒸気流路の短手方向にて隣接する他の前記蒸気流路までの距離の比率が、０．７０以上２．０以下である部位を有する平面型ヒートパイプである。
【発明の効果】
【００１４】
本発明の態様によれば、ウィック構造体の平面視中央部から平面視縁部の方向へ伸延した蒸気流路が、ウィック構造体の平面視中央部にてウィック構造体を横断する仮想線を介して、対向配置されていることにより、ウィック構造体の平面視中央部を横断する仮想線に沿って、ウィック構造体のウィック部が延在する。従って、ウィック構造体の平面視中央部を横断する仮想線に沿って、液相の作動流体が還流できる。平面型ヒートパイプの平面部が略鉛直、すなわち、平面部が重力方向に対し略平行に設置されるにあたり、前記仮想線が重力方向に対して略平行となるように設置されると、液相の作動流体がウィック構造体の平面視中央部を重力方向下方から上方へ還流できる。また、蒸気流路はウィック構造体の平面視中央部から縁部の方向へ伸延しているので、気相の作動流体はウィック構造体の平面視中央部から縁部の方向へ円滑に流通できる。
【００１５】
上記から、平面型ヒートパイプの平面部が鉛直方向に設置された状態で、平面部の中心を受熱部、平面部の縁部を放熱部としても、受熱部にて液相から気相へ相変化した作動流体は、ウィック構造体の平面視中央部から縁部の方向へ、すなわち、受熱部から放熱部方向へ円滑に流通できる。また、平面型ヒートパイプの平面部の縁部で気相から液相へ相変化した作動流体が、重力の作用により重力方向下方へ流動しても、液相の作動流体がウィック構造体の平面視中央部を重力方向下方から上方へ還流できる。その結果として、液相の作動流体は、円滑に、ウィック構造体の平面部の縁部から中心方向へ還流できる。従って、上記条件で平面型ヒートパイプが使用されても、優れた均熱、冷却性能を発揮できる。
【００１６】
本発明の態様によれば、蒸気流路が、直線状の仮想線に沿って並列に配置されていることにより、受熱部にて液相から気相へ相変化した作動流体は、空洞部に沿って延在したウィック構造体の全面に渡って、ウィック構造体の平面視中央部から縁部の方向へ円滑に流通できる。
【００１７】
本発明の態様によれば、仮想線を介して対向している位置関係にある蒸気流路の、仮想線側の端部間の距離が、蒸気流路の伸延方向におけるウィック構造体の寸法の５％以上１５％以下であることにより、気相の作動流体の、ウィック構造体の平面視中央部から縁部の方向への流通と、液相の作動流体のウィック構造体の平面視中央部における重力方向下方から上方への還流とを、バランスよく向上させることができる。
【００１８】
本発明の態様によれば、所定の蒸気流路の短手方向の幅に対する、該所定の蒸気流路から該所定の蒸気流路の短手方向にて隣接する他の蒸気流路までの距離の比率が、０．７０以上１．５以下である部位を有することにより、ウィック構造体の平面視中央部から縁部の方向への気相の作動流体の流通を損なうことなく、蒸気流路の長手方向に沿って延在したウィック構造体のウィック部が、ウィック構造体の平面部の縁部から中心方向への液相の作動流体の還流に確実に寄与することができる。
【図面の簡単な説明】
【００１９】
【図１】本発明の実施形態例に係る平面型ヒートパイプの封止前の分解斜視図である。
【図２】本発明の実施形態例に係る平面型ヒートパイプの使用方法例である。
【発明を実施するための形態】
【００２０】
以下に、本発明の実施形態例に係る平面型ヒートパイプについて、図面を用いながら説明する。図１に示すように、本発明の実施形態例に係る平面型ヒートパイプ１は、中空の空洞部１３を有する平面型のコンテナ１０と、空洞部１３内に封入された作動流体（図示せず）とを有している。また、空洞部１３内には、毛細管力を有するウィック構造体１５が収納されている。コンテナ１０の平面に、冷却対象である発熱体（図示せず）が熱的に接続されることで、発熱体が冷却される。
【００２１】
空洞部１３を有するコンテナ１０は、対向する２枚の板状部材、すなわち、一方の板状部材１１と一方の板状部材１１と対向する他方の板状部材１２が積層されて形成されている。従って、コンテナ１０は２層構造となっている。一方の板状部材１１と他方の板状部材１２は、相互に、平面視において、重なり合う位置にて積層されている。
【００２２】
一方の板状部材１１と他方の板状部材１２は、それぞれ、平板状の部材である。一方の板状部材１１及び／または他方の板状部材１２に、対向する板状部材から視て凹部が設けられている。一方の板状部材１１と他方の板状部材１２が積層されることで、凹部が空洞部１３となる。空洞部１３は、平面型のコンテナ１０の平面に沿って延在している。また、空洞部１３の周囲は、一方の板状部材１１の周縁部と他方の板状部材１２の周縁部が接することで、閉塞されている。一方の板状部材１１と他方の板状部材１２の厚さは、特に限定されず、例えば、軽量化と空洞部１３方向への歪み防止の観点から、それぞれ、５０μｍ以上６０μｍ以下を挙げることができる。
【００２３】
平面型ヒートパイプ１は、空洞部１３の外周部、すなわち、コンテナ１０の周縁部が、例えば、レーザー溶接やシーム溶接等の熱溶着手段、超音波溶接、ロウ溶接等を用いて接合されることで空洞部１３が封止され、空洞部１３に気密性が付与される。空洞部１３の平面視における形状は、特に限定されず、平面型ヒートパイプ１では略長方形状となっている。
【００２４】
図１に示すように、空洞部１３内には、毛細管力を有するウィック構造体１５が収納されている。ウィック構造体１５は、空洞部１３に沿って延在している。また、ウィック構造体１５は、コンテナ１０及び空洞部１３の平面視における形状が略長方形であることに対応して、略長方形のシート状となっている。コンテナ１０及び空洞部１３の長手方向Ｘにウィック構造体の長手方向Ｘが対応し、コンテナ１０及び空洞部１３の短手方向Ｙにウィック構造体の短手方向Ｙが対応している。ウィック構造体１５の厚さは、特に限定されず、例えば、０．１０〜１．０ｍｍを挙げることができる。
【００２５】
ウィック構造体１５には、複数の蒸気流路１６が形成されている。また、ウィック構造体１５の蒸気流路１６以外の部位が、毛細管力を有するウィック部１７となっている。従って、ウィック構造体１５は、蒸気流路１６とウィック部１７とを備えている。
【００２６】
蒸気流路１６は、ウィック構造体１５の厚さ方向に貫通した孔部である。貫通孔である蒸気流路１６は、ウィック構造体１５の長手方向Ｘにおける平面視中央部から平面視縁部の方向へ伸延している。すなわち、蒸気流路１６は、ウィック構造体１５の長手方向Ｘに沿って伸延しているので、蒸気流路１６の長手方向は、ウィック構造体１５の長手方向Ｘに対応している。
【００２７】
蒸気流路１６の平面視の伸延形状は、特に限定されず、平面型ヒートパイプ１では、直線状に伸延している。また、蒸気流路１６の平面視の形状は、特に限定されず、平面型ヒートパイプ１では、略長方形状となっている。なお、平面型ヒートパイプ１では、各蒸気流路１６の形状、寸法は、略同一となっている。
【００２８】
蒸気流路１６は、ウィック構造体１５の長手方向Ｘにおける平面視中央部にてウィック構造体１５を横断する仮想線Ｌを介して、対向して配置されている。平面型ヒートパイプ１では、仮想線Ｌは、直線状であり、平面視略長方形であるウィック構造体１５の短手方向Ｙに沿って、ウィック構造体１５を等分に区分する位置に形成されている。ウィック構造体１５は、仮想線Ｌによって、第１の領域Ｒ１と、第１の領域Ｒ１と略同じ形状と面積を有する第２の領域Ｒ２とに区分することができる。
【００２９】
図１に示すように、第１の領域Ｒ１では、複数の蒸気流路１６が、仮想線Ｌに沿って略等間隔に並列配置されている。また、第２の領域Ｒ２では、他の複数の蒸気流路１６が、同じく、仮想線Ｌに沿って略等間隔に並列配置されている。第１の領域Ｒ１では、仮想線Ｌに沿って一列に並んだ蒸気流路１６が形成され、第２の領域Ｒ２でも、仮想線Ｌに沿って一列に並んだ蒸気流路１６が形成されている。従って、ウィック構造体１５には、仮想線Ｌに沿って二列に並んだ蒸気流路１６が形成されている。また、第１の領域Ｒ１及び第２の領域Ｒ２では、それぞれの蒸気流路１６は、仮想線Ｌに対して直交方向に伸延している。
【００３０】
第１の領域Ｒ１の蒸気流路１６と第２の領域Ｒ２の蒸気流路１６との配置関係は、特に限定されないが、第１の領域Ｒ１にて並列配置されている各蒸気流路１６が、仮想線Ｌを介して、第２の領域Ｒ２にて並列配置されている他の各蒸気流路１６と対向している。平面型ヒートパイプ１では、第１の領域Ｒ１の所定の蒸気流路１６と、該所定の蒸気流路１６と仮想線Ｌを介して対向している第２の領域Ｒ２の所定の蒸気流路１６とは、相互に、略同一直線上に位置している。
【００３１】
第１の領域Ｒ１に配置された蒸気流路１６の仮想線Ｌ側の端部と、第２の領域Ｒ２に配置された蒸気流路１６の仮想線Ｌ側の端部との間の距離ｄは、特に限定されない。例えば、距離ｄは、気相の作動流体の、ウィック構造体１５の平面視中央部から縁部の方向への流通と、液相の作動流体のウィック構造体１５の平面視中央部における重力方向下方から上方への還流とを、バランスよく向上させる点から、蒸気流路１６の伸延方向におけるウィック構造体１５の寸法の５％以上１５％以下が好ましく、７％以上１３％以下が特に好ましい。また、距離ｄは、ウィック構造体１５の平面視における面積にもよるが、例えば、５ｍｍ以上１５ｍｍ以下が好ましい。
【００３２】
また、所定の蒸気流路１６の短手方向の幅ｗ１に対する所定の蒸気流路１６から該所定の蒸気流路１６の短手方向にて隣接する他の蒸気流路１６までの距離ｗ２の比率（ｗ２／ｗ１）は、特に限定されない。例えば、ｗ２／ｗ１は、ウィック構造体１５の平面視中央部から縁部の方向への気相の作動流体の流通を円滑化しつつ、蒸気流路１６の長手方向に沿って延在したウィック構造体１５のウィック部１７もウィック構造体１５の平面部の周縁から中心方向への液相の作動流体の還流に確実に寄与することができる点から、０．７０以上２．０以下が好ましく、０．８以上１．５以下が特に好ましい。また、蒸気流路１６の短手方向の幅ｗ１は、ウィック構造体１５の平面視における面積にもよるが、例えば、１．５ｍｍ以上２．０ｍｍ以下が好ましい。
【００３３】
第１の領域Ｒ１の蒸気流路１６と第２の領域Ｒ２の蒸気流路１６が、仮想線Ｌを介して対向配置されていることに対応して、ウィック部１７は、仮想線Ｌに沿って延在した第１ウィック１８を、一つ有している。第１ウィック１８は、ウィック構造体１５の長手方向Ｘにおける平面視中央部にて、ウィック構造体１５の長手方向Ｘを形成する一方の縁部から該一方の縁部と対向する他方の縁部まで延在している。
【００３４】
また、複数の蒸気流路１６が仮想線Ｌに沿って並列配置されていることに対応して、ウィック部１７は、蒸気流路１６間を蒸気流路１６の長手方向に沿って延在した第２ウィック１９を有している。さらに、ウィック部１７は、ウィック構造体１５の平面視縁部に、第３ウィック２０を有している。第３ウィック２０は、ウィック構造体１５の周縁を形成している。なお、第１ウィック１８、第２ウィック１９及び第３ウィック２０は、相互に連続している。
【００３５】
平面型ヒートパイプ１では、第１ウィック１８の伸延方向に沿って、液相の作動流体が流通できる。平面型ヒートパイプ１の平面部が重力方向に対し略平行に設置されるにあたり、第１ウィック１８が重力方向に対して略平行となるように設置されると、液相の作動流体が第１ウィック１８（すなわち、ウィック構造体１５の長手方向Ｘにおける平面視中央部）を重力方向下方から上方へ還流できる。また、蒸気流路１６はウィック構造体１５の長手方向Ｘにおける平面視中央部から縁部の方向へ伸延している。よって、気相の作動流体はウィック構造体１５の長手方向Ｘにおける平面視中央部から縁部の方向へ円滑に流通できる。
【００３６】
コンテナ１０の材質としては、特に限定されず、例えば、銅、銅合金、アルミニウム、アルミニウム合金、ステンレス鋼等を挙げることができる。空洞部１３に封入する作動流体としては、コンテナ１０の材料との適合性に応じて、適宜選択可能であり、例えば、水、フルオロカーボン類、シクロペンタン、エチレングリコール、これらの混合物等を挙げることができる。ウィック構造体１５としては、特に限定されず、例えば、金属線からなるメッシュ、金属編組体、樹脂成分からなる不織布等を挙げることができる。
【００３７】
上記から、平面型ヒートパイプ１の平面部が鉛直方向に設置された状態で、該平面部の中心を受熱部、該平面部の縁部（図１では、短手方向Ｙを形成する縁部）を放熱部としても、受熱部にて液相から気相へ相変化した作動流体は、蒸気流路１６内を、ウィック構造体１５の長手方向Ｘにおける平面視中央部から縁部の方向へ円滑に流通できる。また、平面型ヒートパイプ１の平面部の縁部で気相から液相へ相変化した作動流体が、重力の作用により重力方向下方へ流動しても、重力方向下方へ流動した液相の作動流体は、第１ウィック１８によって重力方向下方から上方へ還流される。また、重力方向下方へ流動しなかった液相の作動流体または重力方向下方へ流動しきれなかった液相の作動流体は、第２ウィック１９によって、蒸気流路１６の長手方向に沿って、ウィック構造体１５の平面部の縁部から中心方向へ還流される。結果、液相の作動流体は、円滑に、ウィック構造体１５の縁部から中心方向へ還流できる。従って、平面型ヒートパイプ１の平面部が鉛直方向に設置される条件で平面型ヒートパイプ１が使用されても、優れた均熱、冷却性能を発揮できる。
【００３８】
また、平面型ヒートパイプ１では、蒸気流路１６が、直線状の仮想線Ｌに沿って並列に配置されていることにより、受熱部にて液相から気相へ相変化した作動流体は、ウィック構造体１５の全面に渡って、ウィック構造体１５の長手方向Ｘにおける平面視中央部から縁部の方向へ円滑に流通できる。
【００３９】
次に、本発明の実施形態例に係る平面型ヒートパイプ１の使用方法例を説明する。
【００４０】
図２に示すように、平面型ヒートパイプ１（コンテナ１０）の平面に冷却対象である発熱体１００を熱的に接続する。発熱体１００は、鉛直方向に立設されている状態で設置されている。これに対応して、平面型ヒートパイプ１の平面部を鉛直にして設置し、該平面部の中心とその近傍に渡って発熱体１００を熱的に接続して平面型ヒートパイプ１の受熱部とする。該平面部の両縁部（図２では、平面型ヒートパイプ１の短手方向Ｙかつウィック構造体の短手方向Ｙを形成する両縁部）に熱交換手段１０１を、それぞれ接続して平面型ヒートパイプ１の放熱部とする。
【００４１】
平面型ヒートパイプ１をこのように立てて設置しても、上記作用により、気相の作動流体は、円滑に、コンテナ１０の中心から両縁部方向へ流通でき、液相の作動流体は、円滑に、コンテナ１０の両縁部から中心方向へ還流できるので、平面型ヒートパイプ１は、発熱体１００に対して優れた均熱、冷却性能を発揮できる。
【００４２】
次に、本発明の平面型ヒートパイプの他の実施形態例について、説明する。上記実施形態例では、蒸気流路が仮想線に沿って略等間隔に並列配置されていたが、これに代えて、間隔を適宜変更して蒸気流路を配置してもよい。また、上記各実施形態例では、それぞれの蒸気流路１６の形状、寸法は、略同一となっていたが、これに代えて、蒸気流路の形状、寸法は、例えば、ウィック構造体の部位に応じて、適宜、変更してもよい。
【００４３】
また、上記実施形態例では、平面視略長方形であるウィック構造体の短手方向に略平行に直線状の仮想線が形成されていたが、仮想線の形状、位置は、ウィック構造体の使用条件等により適宜選択可能であり、例えば、ウィック構造体の対角線上に仮想線を形成してもよい。
【実施例】
【００４４】
次に、本発明の実施例を説明するが、本発明の趣旨を超えない限り、本発明は、下記実施例に限定されるものではない。
【００４５】
実施例として、図１に示す態様の平面型ヒートパイプを使用した。平面型ヒートパイプのコンテナとして、銅製の一方の板状部材（厚さ５０μｍ）及び銅製の他方の板状部材（厚さ５０μｍ）のコンテナ（長手方向１４０ｍｍ×短手方向１２０ｍｍ）を使用した。ウィック構造体として、厚さ３００μｍ×長手方向１３０ｍｍ×短手方向１１０ｍｍである、長方形のシート状金属編組体を使用した。ウィック構造体に設ける蒸気流路は、短手方向１．５ｍｍ×長手方向１００（第１の領域と第２の領域の合計）ｍｍとし、該蒸気流路を、第１の領域と第２の領域に、それぞれ３０本、並列配置して形成した。対向する蒸気流路間の距離ｄである第１ウィックの幅を１０ｍｍとした。
【００４６】
上記ウィック構造体をコンテナに収納後、一部封入口を残してコンテナの周縁部をシーム溶接の方法で接合した。接合後、封入口から作動流体として水を注入した後、真空脱気の方法で空洞部内を減圧状態とし、封入口をシーム溶接で接合することで、実施例の平面型ヒートパイプを作製した。
【００４７】
比較例として、第１ウィックが設けられていないウィック構造体を使用した。すなわち、比較例で使用したウィック構造体では、第１の領域の蒸気流路と該第１の領域の蒸気流路に対向する第２の領域の蒸気流路が直線状に連通したものを使用した。
【００４８】
実施例の平面型ヒートパイプ、比較例の平面型ヒートパイプを、図２に示すように、コンテナの一方の平面部にて発熱体と熱的に接続し、コンテナの長手方向両端部に熱交換手段を接続した。発熱体の稼働後、コンテナの他方の平面部を観察者が指触することで、実施例の平面型ヒートパイプ及び比較例の平面型ヒートパイプの冷却性能を評価した。
【００４９】
その結果、実施例の平面型ヒートパイプでは、他方の平面部の中心でも顕著な昇温は認められなかった。一方で、比較例の平面型ヒートパイプでは、他方の平面部の中心を指触すると顕著に昇温していた。従って、実施例の平面型ヒートパイプでは、優れた冷却性能を発揮できることが確認された。
【産業上の利用可能性】
【００５０】
本発明の平面型ヒートパイプでは、平面部が鉛直方向に設置された状態で、平面部の中心を受熱部としても、優れた冷却性能を発揮できるので、例えば、バッテリーセルの冷却分野で利用することができる。
【符号の説明】
【００５１】
１                    平面型ヒートパイプ
１０                  コンテナ
１１                  一方の板状部材
１２                  他方の板状部材
１３                  空洞部
１５                  ウィック構造体
１６                  蒸気流路
【図１】
2019120416.tif 000003
【図２】
2019120416.tif 000004